(57)【要約】【課題】センサ付照明器具において、カバーの剛性不十分に起因した、うねり、反り、たわみ等が発生することが少なくなり、熱線検知センサの検知性能をより安定的に確保できるものとする。【解決手段】人体検知センサ５の出力により光源ランプ４を点灯制御するセンサ付照明器具のカバー３が、ポリエチレン系樹脂組成物で形成され、カバー３の外面の人体検知センサ５の受光面と対向し、その検知領域を構成する立体角に含まれる受光部となる部分の密度が、０．９５８ｇ／ｃｍ３以上であり、肉厚が、大略０．３〜１．２ｍｍであるものである。【選択図】図２
2005158411.tif 000002
【特許請求の範囲】
【請求項１】
合成樹脂材料製のカバーにて覆われた光源ランプと、該カバー内に配設され、人体等から放射される熱線を集光し人体等の検知を行う熱線検知センサとを備え、該センサの出力により前記光源ランプを点灯制御するようにしたセンサ付照明器具において、
前記カバーが、ポリエチレン系樹脂組成物で形成され、
カバー外面の少なくとも熱線検知センサの受光面と対向し、その検知領域を構成する立体角に含まれる受光部となる部分のポリエチレン系樹脂の密度が、０．９５８ｇ／ｃｍ３以上であり、肉厚が、大略０．３〜１．２ｍｍであり、その部分のポリエチレン系樹脂組成物の結晶化度が７０％以上であることを特徴とするセンサ付照明器具。
【請求項２】
請求項１に記載のセンサ付照明器具に用いられる照明カバー。
【発明の詳細な説明】
【技術分野】
【０００１】
本発明は、センサ付照明器具及びそれに用いられるカバーに関するものである。
【背景技術】
【０００２】
近年、省エネルギー志向の高まりに伴い、人体等から放射される熱線を集光し人体等の検知を行う熱線検知センサの出力にて点灯制御するように構成したセンサ付照明器具が広く利用されつつある。
【０００３】
この種、従来の照明器具においては、照明器具の基本性能である可視光の透過性、拡散性、及び紫外線に対する耐劣化性能である耐候性の良好なアクリル樹脂又はポリスチレン樹脂にてカバーを形成し、熱線検知センサの検知性能を確保するために、熱線検知センサもしくはその集光用レンズを照明器具の外側に露出する構成としていた。従って、熱線検知センサが目立って、外観の見栄えが悪くなり、センサ付照明器具としてのデザイン的な統一感も損なわれるという問題があった。
【０００４】
このような問題への対応策として、カバーを、上記耐候性及び光学特性以外に、遠赤外線である熱線を透過する領域について高率透過性能を十分に満足できるポリエチレン系樹脂で形成し、かかるカバーで光源ランプと熱線検知センサを覆うことによって、照明器具外部から熱線検知センサを目立たなく設けることができ、可視光の透過性、拡散性が良好で、さらには熱線検知センサの検知性能を確保できるようにしたセンサ付照明器具が提案されている（特許文献１参照）。
【０００５】
ところで、この構成にて人体検知性能を確保するには、カバーの少なくとも熱線検知センサの受光面と対向する検知領域を構成する立体角に含まれる受光部となる部分が大略１．５ｍｍ以下の肉厚、さらには０．３〜１．２ｍｍの肉厚となるよう形成し、カバーを透過するに際しての熱線の減衰を比較的少なくする必要があった。
【０００６】
しかしながら、このような薄い肉厚で、グローブ状のカバー（一般に押出成形で形成されたシートから真空／圧空成形して形成）や、平面状のパネルカバー（一般に押出成形で形成されたシート）を形成する場合、それらカバーの剛性が不十分であると、うねり、反り、たわみ等が発生し易く、それらのレベルによっては、カバーを透過するに際しての熱線を減衰させてしまい、熱線検知センサの検知性能を不安定にさせることもあった。これはつまり、カバーを形成するポリエチレン系樹脂の物性に起因するところでもあった。よって、上記問題を解決するためには、ポリエチレン系樹脂を単純に選定するだけでは不十分であった。
【０００７】
一方、ポリエチレン系樹脂が、従来、例えば照明用グローブのような比較的サイズが大きく、中空あるいはそれに近い構造を有する成形体（オイルタンク等の各種タンク、薬品、農薬ボトル等の各種ボトル等）に用いられる場合、当然のことながら、上記のような照明カバーに求められる光学特性（可視光域の透過性、拡散性、遠赤外線である熱線領域の高率透過性）に配慮する必要がないため、剛性、強度を高めるには肉厚を厚めに設定するのが一般的である。また、上記のような成形体には照明カバーの外観的制約に匹敵するような制約条件が比較的少なく、剛性を高めるために、表面に多数の補強構造（例えばマクロな凹凸構造等）を形成することも多く行われる。その他の剛性を高める手段として、例えば、ポリエチレン系樹脂に繊維状無機充填材を添加することや（例えば、特許文献２参照）、複層構造にすることが知られている（例えば、特許文献３参照）。
【０００８】
従来、上記のような種類のポリエチレン系樹脂製成形品の剛性を高めるには、肉厚アップ、補強構造形成、充填材の添加等で対応可能であったため、剛性の高いポリエチレン系樹脂を意図的に選択しなくても、特に性能上の問題はなく、むしろその他の特性、例えば成形加工性や靭性等を優先してポリエチレン系樹脂を選定する場合がほとんどであった。
【０００９】
また、ポリエチレン系樹脂が、薄肉で用いられる場合は、特許文献３に開示されているように、剛性が要求されるよりは、むしろ成形加工性や引張り特性が重要視される製品（食品、医薬品、化粧品、洗剤等の粘性のある液状物を収容する容器等）に適用されることが多かった。
【特許文献１】特開２００１−３３８５２２号公報
【特許文献２】特開平５−１７６２１号公報
【特許文献３】特開平５−３１７９４号公報
【発明の開示】
【発明が解決しようとする課題】
【００１０】
本発明は、上記事由に鑑みて成されたものであり、カバーの剛性不十分に起因した、うねり、反り、たわみ等が発生することが少なくなり、熱線検知センサの検知性能をより安定的に確保できるセンサ付照明器具及びそれに用いられる照明カバーを提供することを目的とする。
【課題を解決するための手段】
【００１１】
請求項１の発明は、合成樹脂材料製のカバーにて覆われた光源ランプと、該カバー内に配設され、人体等から放射される熱線を集光し人体等の検知を行う熱線検知センサとを備え、該センサの出力により前記光源ランプを点灯制御するようにしたセンサ付照明器具において、前記カバーが、ポリエチレン系樹脂組成物で形成され、カバー外面の少なくとも熱線検知センサの受光面と対向し、その検知領域を構成する立体角に含まれる受光部となる部分の密度が、０．９５８ｇ／ｃｍ３以上であり、肉厚が、大略０．３〜１．２ｍｍであり、その部分のポリエチレン系樹脂組成物の結晶化度が、７０％以上であることを特徴とする。
請求項２の発明は、請求項１に記載のセンサ付照明器具に用いられる照明カバーである。
【発明の効果】
【００１２】
請求項１，２の発明によれば、照明カバーの材質が比較的に薄い肉厚でありながら、剛性が高く、うねり、反り、たわみ等が発生することがなく、熱線検知センサの検知性能をより安定的に確保することができる。
【発明を実施するための最良の形態】
【００１３】
本発明が適用されるセンサ付照明器具について図１を参照して説明する。この照明器具１は、器具本体２と、これに取り付けられた光源ランプ４と、この光源ランプ４を覆うカバー３と、このカバー３内に配設され、人体等から放射される熱線を集光し人体等の検知を行う人体検知センサ５とを備え、このセンサ５の出力により光源ランプ４を点灯制御するようにしている。
【００１４】
この照明器具１において、カバー３の、少なくとも人体検知センサ５の受光面と対向する検知領域を構成する立体角に含まれる受光部となる部分が、密度０．９５８ｇ／ｃｍ３以上のポリエチレン系樹脂を含む樹脂組成物によって、大略０．３  〜１．２ｍｍの肉厚となるよう形成するのが好ましい。この場合、人体検知センサ５の検知領域を構成する、そのセンサ受光面と対向する立体角に含まれる、大略０．３  〜１．２ｍｍの肉厚をもったポリエチレン系樹脂組成物の受光部越しに熱線が検知される。従って、大略１．２ｍｍ以下の肉厚とすることで、カバー３を透過するに際しての熱線の減衰を比較的少なくして、人体検知センサ５の検知感度を維持できる。
【００１５】
また、上記ポリエチレン系樹脂組成物を、結晶化度が７０％以上となるように形成することが好ましい。この場合、上記のような比較的薄い肉厚においても、より剛性を高め、よりうねり、反り、たわみ等を抑制することができ、カバー３を透過するに際しての熱線の減衰をさらに少なくして、人体検知センサ５の検知性能をさらに安定化させることができる。
【００１６】
また、大略０．３ｍｍ以上の肉厚とすることで、成形においてカバー３の大略の形状を確保することができる。また、カバー３を密度０．９５８ｇ／ｃｍ３以上のポリエチレン系樹脂を含む樹脂組成物で形成することで、このような比較的薄い肉厚においても、剛性を高め、うねり、反り、たわみ等を抑制することができ、カバー３を透過するに際しての熱線の減衰をより少なくして、人体検知センサ５の検知性能を安定化させることができる。
【実施例】
【００１７】
以下、本発明の実施例及び比較例を説明する。下記の表１に示したような各種構成でなるカバー（パネル状，ｔ＝０．５mm）を形成し、これらカバーの『結晶化度』を測定した。結晶化度は、密度法（密度勾配管法）により求めた。なお、後述する評価の結果、適正な評価が得られたものが実施例１〜４としており、いずれかの点で適正でない評価のものが比較例１〜４としている。
【表１】
2005158411.tif 000003
【００１８】
上記各種のカバーを、図２に示すような和風器具（ランプ：ツインＰａ４０Ｗ，センサレンズ部エリアカットなし）に取り付け、下記の『カバーうねり量』、『歩行検知性』について評価を行った。図２に示す照明器具１においては、光源ランプ４を覆うカバー３は、器具本体２に固定された枠６の下面側にカバー保持枠３ａと桟７により保持されている。カバー３は、カバー保持枠３ａと桟７との間に一部が挟み込まれた状態にあり、カバーにうねりが発生すると、図示のように、桟７との間に隙間Ｄができる。
【００１９】
［１］カバーうねり量
図２に示すうねり量（桟とカバーの隙間）の最大値を測定した。
測定条件：周囲温度・・・２５〜２６℃
［２］歩行検知性
上述の［１］カバーうねり量で用いた器具（カバー付）を天井に取り付け、器具の直下よりおよそ２．５ｍの位置から、器具の直下に向かって人間を歩行させ、センサが反応しランプが点灯した時にいた位置を器具の直下からの距離（検知エリア）として測定し、下記の通り、◎、○、△、×で判定した。
測定条件：周囲温度・・・２５〜２６℃
電源電圧／周波数・・・１００Ｖ／６０Ｈｚ
器具取付け高さ・・・センサのレンズ外下面から床面まで２．２ｍ
歩行速度・・・０．５ｍ／ｓｅｃ
歩行者の温度・・・頭部：35℃，顔：36℃，胴：未測定，左手：36℃，右手：35℃，左膝：35℃，右膝：35℃，左足：29℃，右足：30℃
◎・・・・・検知距離  １．５ｍ以上              ：検知性能に優れる
○・・・・・検知距離  １．０ｍ〜１．５ｍ以内   ：検知性能が良好
△・・・・・検知距離  ０．５ｍ〜１．０ｍ以内   ：検知性能にやや劣る
×・・・・・検知距離  ０．５ｍ以下              ：検知性能に劣る
【００２０】
［１］カバーうねり量、［２］歩行検知性の評価結果を、下記の表２に示す。この評価結果より、照明カバーとしては上述した通りの構成を持つ実施例のものが好適であることが分かる。
【表２】
2005158411.tif 000004
【００２１】
なお、本発明は上記実施形態に限られず、種々の変形が可能であり、例えば、上記のように天井面に取り付けされる照明器具に限られず、ペンダント式その他の照明器具であっても同様に適用可能である。
【図面の簡単な説明】
【００２２】
【図１】本発明が適用される一例に係る照明器具の断面図。
【図２】（ａ）は本発明の一実施形態に係る照明器具の断面図、（ｂ）は（ａ）のＢ部の拡大断面図。
【図３】照明器具の特性を評価する状態を説明する図。
【符号の説明】
【００２３】
１  照明器具
２  器具本体
３  カバー
４  光源ランプ
５  人体検知センサ（熱線検知センサ）
【図１】
2005158411.tif 000005
【図２】
2005158411.tif 000006
【図３】
2005158411.tif 000007